(57)【要約】インプラント施術過程においてフィクスチャーの植立位置及び該フィクスチャーの植立のための穿孔形成を導き、フィクスチャーの植立及び補綴物結合の便宜性及び正確性が向上させるために、口腔内の３次元イメージ獲得データに基づいて設定されたプロファイルによって形成されて歯周組織を取り囲むステントに結合されてフィクスチャー植立位置を案内するデンタルインプラント用ガイドステントにおいて、前記フィクスチャーの植立位置に結合孔が形成されたステント胴部と、前記結合孔に嵌合され、内周にインプラント用ドリルが回転支持されるガイド孔が形成された中空型ブッシュ部、及び前記中空型ブッシュ部の外周の一側に突設され、前記結合孔の一側に固定されたガイド突起部を有するスリーブと、を備える。【選択図】図２
2016507293.tif 000002
【特許請求の範囲】
【請求項１】
口腔内の３次元イメージ獲得データに基づいて設定されたプロファイルによって形成され、歯周組織を取り囲むステントに結合されてフィクスチャー植立位置を案内するデンタルインプラント用ガイドステントにおいて、
前記フィクスチャーの植立位置に結合孔が形成されたステント胴部と、
前記結合孔に嵌合され、内周にインプラント用ドリルが回転支持されるガイド孔が形成された中空型ブッシュ部、及び前記中空型ブッシュ部の外周の一側に突設され、前記結合孔の一側に固定されたガイド突起部を有するスリーブと、を含む
ことを特徴とするデンタルインプラント用のガイドステント。
【請求項２】
前記３次元イメージ獲得データに基づいて製造されるクラウンの配置角度に対応して、前記フィクスチャーのヘキサ孔に嵌合するアバットメントのヘキサ突起が整列されるように、前記ガイド突起部は既に設定された配置角度に整列されて前記結合孔の縁部に固定される
請求項１に記載のデンタルインプラント用のガイドステント。
【請求項３】
前記３次元イメージ獲得データに基づいて製造されるクラウンの配置角度に対応して、前記フィクスチャーのヘキサ孔に嵌合するアバットメントのヘキサ突起が整列されるように、前記ガイド突起部の円周方向の幅は前記アバットメントのガイド面の幅に対応する
請求項１に記載のデンタルインプラント用のガイドステント。
【請求項４】
前記３次元イメージ獲得データに基づいて製造されるクラウンの配置角度に対応して、前記フィクスチャーのヘキサ孔に嵌合するアバットメントのヘキサ突起が整列されるように、前記結合孔の上縁部には既に設定された配置角度に前記ガイド突起部が嵌合された整列溝部が形成される
請求項１に記載のデンタルインプラント用のガイドステント。
【請求項５】
前記ガイド突起部は、前記中空型ブッシュ部の外周の一箇所に突出し、
前記ガイド突起部は、前記３次元イメージ獲得データに基づいて製造されるクラウンの配置角度に対応して、アバットメントに形成されたガイド面及び前記ガイド面に対応するヘキサ孔の一面に平行に整列する位置に配置し、
前記中空型ブッシュ部の外周面には円周方向にそって粗さ加工が施された結合面が形成される
請求項１に記載のデンタルインプラント用のガイドステント。
【発明の詳細な説明】
【技術分野】
【０００１】
本発明は、デンタルインプラント用のガイドステント(ｇｕｉｄｅ  ｓｔｅｎｔ)に関し、詳しくは、インプラント施術過程においてフィクスチャー（Ｆｉｘｔｕｒｅ）の植立位置及び該フィクスチャーの植立のための穿孔形成を導き、フィクスチャーの植立及び補綴物結合の便宜性及び正確性が向上したデンタルインプラント用のガイドステントに関する。
【背景技術】
【０００２】
一般的にインプラントは、元々の人体組織が喪失された時、人体組織の代わりとなる代替物を意味するが、歯科では、人工的に作られた歯牙を移植することを言う。喪失された歯根の代わりに、人体に拒否反応のないチタン（ｔｉｔａｎｉｕｍ）などで作ったフィクスチャーを抜歯された歯槽骨に植えた後、人工歯牙を固定させて歯牙の機能を回復させる施術である。
【０００３】
一般補綴物や総入れ歯の場合、経時的に周りの歯牙と骨とが傷むが、インプラントは周辺歯牙組織を傷まないようにし、２次的な虫歯発生の要因がないため、安定的に使えることができる。また、インプラントは自然歯牙と同じ構造を有するので、歯茎の痛み及び異物感が全くなく、適正な維持管理により半永久的に使える長所がある。
【０００４】
図１は従来のインプラント施術過程を示す流れ図である。
【０００５】
図１に示したように、従来のインプラント施術は、フィクスチャーを歯槽骨に植立する１次施術(ｓ１，ｓ２，ｓ３，ｓ４)と、フィクスチャーが歯槽骨に骨融合する時間(３〜６ヶ月)が経過した後、最終補綴物(ｃｒｏｗｎ)を固定させる過程(ｓ５，ｓ６)とを含む。
【０００６】
１次施術は、抜歯された部分の歯茎を開放する歯茎除去段階ｓ１と、フィクスチャーを植立するための穿孔を形成する多段階ドリリング段階ｓ２と、フィクスチャーの植立段階ｓ３と、植立されたフィクスチャーに臨時歯牙を結合する段階ｓ４とからなる。
【０００７】
詳しくは、歯茎除去段階ｓ１で組織パンチ(Ｔｉｓｓｕｅ  Ｐｕｎｃｈ)などにより歯茎を除去し、フィクスチャーが植立される部位の歯槽骨を露出させる。その後、多段階ドリリング段階ｓ２で歯槽骨の露出した部分にフィクスチャーの植立のための穿孔を形成する。
【０００８】
多段階ドリリング段階ｓ２は、初期のホールを形成する段階、ホールを拡張させる段階、ホール内にネジ山を形成する段階、及びホール内に残存する歯槽骨を除去する段階などからなり、施術に使用するドリルの種類やドリリング方法によって様々な方式がある。
【０００９】
次いで、多段階ドリリング段階ｓ２で形成された穿孔にフィクスチャーを植立しｓ３、植立されたフィクスチャーに臨時歯牙を結合するｓ４と、１次施術が完了する。
【００１０】
ここで、穿孔に植立されるフィクスチャーは人工歯牙の根の役割を果たす。従って、歯槽骨とフィクスチャーとが骨融合を形成する回復過程が迅速かつ安定的に進行され、骨融合後の歯槽骨とフィクスチャーとの安定した結合力を提供するためには、多段階ドリリング段階ｓ２で正確な穿孔を形成することが非常に重要であり、インプラント施術を通じた人工歯牙形成の完成度を決める重要な工程である。
【００１１】
なお臨時歯牙は治癒アバットメント(ｈｅａｌｉｎｇ  ａｂｕｔｍｅｎｔ)及びねじカバー(ｃｏｖｅｒ  ｓｃｒｅｗ)を含む。治癒アバットメント及びねじカバーは、植立されたフィクスチャーが歯槽骨に骨融合する間にフィクスチャーに挿入され、フィクスチャー内に歯茎や異物質などが流入することを防止してフィクスチャー内の損傷を予防するものである。
【００１２】
フィクスチャーに臨時歯牙を結合した後、３〜６ヶ月程度歯槽骨の回復を待った後、臨時歯牙を除去し、アバットメントを結合するｓ５。最後に、アバットメントに最終補綴物を結合すると、インプラント施術が完了するｓ６。
【００１３】
ところが、上記施術過程において、フィクスチャーを植立する位置に正確な深さ及び方向に穿孔を形成することは、初心者はもちろん、経験者にとっても非常に難しい作業である。従って、穿孔形成のためのドリリング作業は、ステントという手術ガイド器具を使用して行われる。
【００１４】
ステントは、ＣＴ撮影により患者の口腔内の歯槽骨の形状を獲得し、口腔内のプロファイルをかたとって形成された石膏モデルを通じて歯牙及び歯茎の形状を得た後、それらを映像整合してシミュレーションを通じてインプラント施術を計画し、この計画に従って手術を導くものである。
【００１５】
ステントには口腔内に固定された状態でインプラント施術計画に対応するフィクスチャーの植立位置を導く案内孔が形成されている。また案内孔の内周は、穿孔形成時に使用されるドリルの外周を回転支持して、ドリリング過程で穿孔が正確な深さ及び方向に形成されるように案内する。
【００１６】
従来には高速回転するドリルによって案内孔が劣化しやすいため、穿孔形成時にドリルの回転を安定的に支持できず、形成された穿孔の正確度が低下してインプラント施術の全体的な完成度が低くなる問題があった。
【００１７】
なお、ドリリング段階で形成された穿孔にフィクスチャーが植立されるが、フィクスチャー内にはヘキサ孔が形成され、該ヘキサ孔に臨時歯牙(治癒アバットメント／ねじカバー)やアバットメントのヘキサ突起が嵌合される。この時、ヘキサ孔に接着剤が一緒に挿入される。またヘキサ孔及びヘキサ突起は圧力分散に有利なハニコム状で形成され、ヘキサ突起は既に設定された方向から挿入されたときにヘキサ孔内に正確に挿入される。
【００１８】
しかし、従来にはフィクスチャー内のヘキサ孔の配置角度が一定ではなかったため、フィクスチャーの植立角度によって臨時歯牙やアバットメントの挿入角度が異なった。
【００１９】
臨時歯牙のうち、ねじカバーは、フィクスチャー内の空いた空間に飲食物が浸透して感染が発生したり、歯茎が流入してフィクスチャーと歯槽骨の間の結合力を低下させたりすることを防止し、治癒アバットメントは、ねじカバーの役割とともに、再生される歯茎の形態を備える。
【００２０】
一方、フィクスチャーの植立角度がインプラントの施術計画に従う治癒アバットメントの配置角度と異なった場合には、フィクスチャーの配置角度を直すために数回の試行錯誤を繰り返して挿脱する作業が必要であり、歯槽骨が損傷したり歯槽骨の損失が増加したりして回復期間が長引く問題がある。
【００２１】
アバットメント上には最終補綴物が結合される多角突起が形成されるが、この多角突起の方向がアバットメントの挿入角度によって変わる。これにより、最終補綴物を製作する時にフィクスチャー植立後のアバットメントの方向を反映させる必要があるので、準備及び製作期間が長引く問題がある。
【発明の概要】
【発明が解決しようとする課題】
【００２２】
本発明は、上記事情に鑑みなされたものであり、インプラント施術過程においてフィクスチャーの植立位置及び該フィクスチャーの植立のための穿孔形成を導き、フィクスチャーの植立及び補綴物結合の便宜性及び正確性が向上したデンタルインプラント用のガイドステントを提供することを課題とする。
【課題を解決するための手段】
【００２３】
上記課題を解決するために、本発明は、口腔内の３次元イメージ獲得データに基づいて設定されたプロファイルによって形成されて歯周組織を取り囲むステントに結合されてフィクスチャー植立位置を案内するデンタルインプラント用ガイドステントにおいて、フィクスチャーの植立位置に結合孔が形成されたステント胴部と、結合孔に嵌合され、内周にインプラント用ドリルが回転支持されるガイド孔が形成された中空型ブッシュ部、及び中空型ブッシュ部の外周の一側に突設され、結合孔の一側に固定されたガイド突起部を有するスリーブと、を含むことを特徴とするデンタルインプラント用のガイドステントを提供する。
【００２４】
ここで、３次元イメージ獲得データに基づいて製造されるクラウンの配置角度に対応してフィクスチャーのヘキサ孔に嵌合するアバットメントのヘキサ突起が整列されるように、ガイド突起部は既に設定された配置角度に整列されて結合孔の縁部に固定されることが好ましい。
【００２５】
また、３次元イメージ獲得データに基づいて製造されるクラウンの配置角度に対応してフィクスチャーのヘキサ孔に嵌合するアバットメントのヘキサ突起が整列されるように、ガイド突起部の円周方向の幅はアバットメントのガイド面の幅に対応することが好ましい。
【００２６】
さらに、３次元イメージ獲得データに基づいて製造されるクラウンの配置角度に対応してフィクスチャーのヘキサ孔に嵌合するアバットメントのヘキサ突起が整列されるように、結合孔の上縁部には既に設定された配置角度にガイド突起部が嵌合された整列溝部が形成されることが好ましい。
【００２７】
ガイド突起部は、中空型ブッシュ部の外周の一箇所に突出される。また、ガイド突起部は、３次元イメージ獲得データに基づいて製造されるクラウンの配置角度に対応してアバットメントに形成されたガイド面及び該ガイド面に対応するヘキサ孔の一面に平行に整列する位置に配置され、中空型ブッシュ部の外周面には円周方向にそって粗さ加工が施された結合面が形成されていることが好ましい。
【発明の効果】
【００２８】
本発明のデンタルインプラント用ガイドステントによれば、次のような効果が得られる。
【００２９】
第一に、ガイドステントは、ガイド突起部が３次元イメージ獲得データに基づいて製造されたクラウンの配置角度に対応して結合するので、ガイド突起部にフィクスチャー／アバットメントを整列することにより、クラウンを既に設定された配置角度でアバットメントに正確に結合することができる。
【００３０】
これにより、フィクスチャーの植立角度に対応してクラウンを製造することではなく、ガイドステントの製作時にクラウンの配置角度を設定して製造することができるので、インプラント施術を用意し、各種の補綴物を製作する時間を大幅短縮することができ、一回の施術で歯茎除去、フィクスチャーの植立穿孔ドリリング、フィクスチャーの植立及びアバットメント／クラウン設置を完了できる基盤技術装置を提供することができる。
【００３１】
第二に、ガイド突起部の円周方向の幅はアバットメントのガイド面の幅と対応するように形成されて、施術者がガイド面をガイド突起部に合わせて整列させるだけで、フィクスチャーのヘキサ孔、アバットメントのヘキサ突起が自動に整列されるので、簡単な整列が可能であり、施術時間を短縮することができる。
【００３２】
第三に、ガイドステントの結合孔の上縁部に形成された整列溝部は、３次元イメージ獲得データに基づいて製造されたクラウンの配置角度に対応してガイド突起部を正確に嵌合することができるので、フィクスチャー及びアバットメント整列の正確度が向上し、ガイドステントの製作時に製造されたクラウンをインプラントの施術計画に合わせて口腔内に正確に結合することができる。
【００３３】
第四に、スリーブは、ガイド突起部が結合孔の整列溝部に嵌合されて回転せず、結合孔の内周面に突設された離脱防止突起が中空型ブッシュ部の離脱防止溝部に嵌合されていることから、単純に方向を合わせて挿入するだけでも堅固に結合され、ガイド突起部が設定位置に自動に整列されるため、製品の組立性が向上する。
【図面の簡単な説明】
【００３４】
【図１】従来のインプラント施術過程を示す流れ図
【図２】本発明の一実施形態によるデンタルインプラント用ガイドステントを例示する説明図
【図３】本発明の一実施形態によるデンタルインプラント用ガイドステントのスリーブを示す斜視図
【図４】本発明の一実施形態によるデンタルインプラント用ガイドステントのスリーブを示す平面図
【図５ａ】本発明の一実施形態によるデンタルインプラント用ガイドステントの使用模式説明図
【図５ｂ】図５におけるＡ−Ａ断面でフィクスチャーのヘキサ孔及びアバットメントのヘキサ突起を投影して示した投影断面図
【図５ｃ】本発明の一実施形態によるガイド突起部によってアバットメント及びフィクスチャーが整列されていることを示した斜視図
【発明を実施するための形態】
【００３５】
以下、図面を参照して本発明の好ましい実施形態によるデンタルインプラント用ガイドステントについて詳細に説明する。
【００３６】
図２は本発明の一実施形態によるデンタルインプラント用ガイドステントを例示する図であり、図３は本発明の一実施形態によるデンタルインプラント用ガイドステントのスリーブを示す斜視図であり、図４は本発明の一実施形態によるデンタルインプラント用ガイドステントのスリーブを示す平面図であり、図５ａは本発明の一実施形態によるデンタルインプラント用ガイドステントの使用模式図であり、図５ｂは図５におけるＡ−Ａ断面でフィクスチャーのヘキサ孔及びアバットメントのヘキサ突起を投影して示した投影断面図であり、図５ｃは本発明の一実施形態によるデンタルインプラント用ガイドステントのスリーブによってアバットメント及びフィクスチャーが整列されていることを示した斜視図である。
【００３７】
図２ないし図５ｃに示したように、本発明の一実施形態によるデンタルインプラント用ガイドステント１００は、ステント胴部１０と、スリーブ２０とを含む。デンタルインプラント用ガイドステント１００は、口腔内の３次元情報及びイメージ情報から獲得された３次元イメージ獲得データに基づいて設定されたプロファイルによって形成され、今後行われる諸般のインプラント施術を案内する。
【００３８】
詳しくは、ＣＴ撮影により患者の口腔内の歯槽骨及び歯牙などに関する３次元情報を獲得する。また口腔スキャンやモデルスキャン、或いは石膏モデルを通じて、歯牙、歯茎などの患者の歯周組織の外形に関するイメージ情報を獲得する。３次元イメージ獲得データは、これら３次元情報及びイメージ情報を整合して得られる。
【００３９】
３次元イメージ獲得データに基づき、患者の解剖学的補綴関係を考慮してシミュレーションを行った後、インプラント施術の計画を立てる。
【００４０】
この時、３次元イメージ獲得データに基づいて口腔内の歯周組織の形状を有するように設定されたプロファイルによってガイドステント１００のステント胴部１０を形成する。ステント胴部１０内には、インプラントの施術計画に従うフィクスチャーの植立位置を案内し、フィクスチャーの植立位置に穿孔を形成するためのドリリングを案内するスリーブ２０が設けられる。
【００４１】
図２に示したように、ステント胴部１０の外面は３次元イメージ獲得データに基づいて設定されたプロファイルによって形成され、歯周組織が挿入・固定される。
【００４２】
ステント胴部１０の側部にはアンカ孔１２が形成される。アンカ孔１２にはアンカピンが挿入され、アンカピンが患者の歯茎及び歯槽骨に嵌合されることにより、ステント胴部１０を口腔内に固定することができる。
【００４３】
これにより、ステント胴部１０は固定された状態でドリリング作業を含む諸般のインプラント施術を安定してガイドすることができる。またステント胴部１０にはフィクスチャーが植立される位置にそって、植立されるインプラントの個数に対応して、結合孔１１が形成されることが好ましい。
【００４４】
一方、図２及び図３に示したように、スリーブ２０はそれぞれの結合孔１１に嵌合され、中空型ブッシュ部２３とガイド突起部２１とを含む。結合孔１１は、フィクスチャーの植立位置に対応して形成され、中空型ブッシュ２３は内周に沿ってインプラント用ドリルが回転支持されるガイド孔２２が形成されている。ガイド孔２２にはフィクスチャーが植立される穿孔を形成するドリルが回転支持され、ガイド孔２２により穿孔の深さ、形成方向、直径などが案内される。
【００４５】
従って、ガイド孔２２はドリルの外周面に接して案内可能な直径で形成されることが好ましく、ガイド孔２２の上縁部はドリルの挿入深さを調節できる高さの範囲に形成されることが好ましい。
【００４６】
中空型ブッシュ部２３は黄銅からなることが好ましい。これにより、ドリルの高速回転による応力を堅固に支持し、回転時の摩擦力を減少して摩擦熱の発生を抑え、応力や摩擦熱によるガイド孔２２の変形を防止することができる。
【００４７】
これにより、正確かつ安定的にドリルをガイドして穿孔の精密度を向上させることにより、より高い完成度のインプラント施術が可能となり、変形によるドリルの振動や損傷を防止することができる。
【００４８】
図２ないし図４に示したように、ガイド突起部２１は中空型ブッシュ部２３の外周の一側に突設され、結合孔１１の一側に固定される。ガイド突起部２１は、スリーブ２０が結合孔１１内に嵌合されるときに回転流動することを防止することができる。
【００４９】
すなわち、中空型ブッシュ部２３は内周面がドリルの外周面に当接しているので、ドリルの回転によって中空型ブッシュ部２３が一緒に回転しようとする力が作用する。この時、ガイド突起部２１がガイドステントの結合孔１１の一側に固定されたことにより、中空型ブッシュ部２３の回転流動、またそれによる分離及び離脱を防止することができる。
【００５０】
ガイド突起部２１は、中空型ブッシュ部２３がドリルに従って回転することによりドリルガイドの正確性が低下することを防止するので、安定したガイド性能を提供することができる。
【００５１】
中空型ブッシュ部２３の外周面には円周方向にそって粗さ加工が施された結合面２３ｂが形成されている。これにより中空型ブッシュ部２３と結合孔１１を接着剤などにより結合した場合、接触面積が増加して結合力が強くなる。
【００５２】
もちろん、中空型ブッシュ部２３の外周面には円周方向にそって離脱防止溝部２３ａが形成されている。この時、離脱防止溝部２３ａには結合孔１１の内周面に円周方向に沿って形成された離脱防止突起が嵌合される。
【００５３】
これにより、スリーブ２０は、ガイド突起部２１によって回転せず固定され、離脱防止溝部２３ａと離脱防止突起とが互いに結合して結合孔１１に固定される。従って、単純に方向を合わせて挿入することだけでも、互いに堅固に結合することができ、ガイド突起部が所定の設定位置に自動に整列されるので製品の組立て性が向上する。
【００５４】
ガイド突起部２１は、３次元イメージ獲得データに基づいて製造されるクラウンの配置角度に対応してフィクスチャーのヘキサ孔に嵌合するアバットメントのヘキサ突起が整列されるように、既に設定された配置角度に整列されて結合孔１１の縁部に固定されることが好ましい。
【００５５】
詳しくは、図５ａないし図５ｂに示したように、フィクスチャー３内にヘキサ孔３ａが形成され、ヘキサ孔３ａにアバットメント４のヘキサ突起４ａを挿入して接着剤により固定することができる。
【００５６】
この時、ヘキサ孔３ａ及びヘキサ突起４ａは、歯牙の咀嚼時に加えられる圧力による損傷を防止するためにハニカム状で形成され、ヘキサ突起４ａは既に設定された方向にのみヘキサ孔３ａ内に完全に挿入されることができる。
【００５７】
アバットメント４にはヘキサ突起４ａの一面と平行にガイド面４ｂが形成されている。
【００５８】
ガイド突起部２１は、３次元イメージ獲得データが獲得されると、最終補綴物であるクラウンが口腔内に結合される配置角度に従って、クラウンが結合されるアバットメント４及びアバットメント４が結合されるフィクスチャー３が整列されるように既に設定された配置角度で結合孔１１の縁部に固定されることが好ましい。
【００５９】
すなわち、ガイド突起部２１はフィクスチャー３のヘキサ孔３ａの方向を整列する基準となるため、ガイド突起部２１の方向に従ってフィクスチャー３に結合されるアバットメント４が整列され、クラウンを３次元イメージ獲得データに合わせて口腔内に結合することができる。
【００６０】
これにより、ＣＴ撮影及び口腔スキャンにより３次元イメージ獲得データが獲得された時点で、ガイドステント１００の製作とともに、クラウンの製作を行い、施術にかかる時間を大幅短縮することができる。
【００６１】
言い換えば、穿孔に植立されるフィクスチャー３の配置角度が決定された後にフィクスチャー３の配置角度に対応してクラウンを製造することではなく、ガイドステント１００を製作する段階でクラウンの配置角度を設定することができるので、インプラント施術を準備し、各種補綴物を製作する時間を大きく短縮することができる。
【００６２】
これにより、一回の施術で歯茎除去、フィクスチャー植立のための穿孔ドリリング、フィクスチャーの植立及びアバットメント／クラウンの設置が完了できる基盤技術装置を提供することができる。
【００６３】
なお、ガイドステント１００の結合孔１１の上縁部には整列溝部１１ａが形成されることが好ましい。整列溝部１１ａは３次元イメージ獲得データに基づいて製造されるクラウンの配置角度に対応してフィクスチャー３のヘキサ孔３ａに嵌合するアバットメント４のヘキサ突起４ａが整列するように既に設定された配置角度でガイド突起部２１が挿入される。
【００６４】
詳しくは、ガイドステント１００には、３次元イメージ獲得データに基づいてインプラントの施術計画が立てられ、インプラントの施術計画に従ってフィクスチャー３が植立される位置に対応して結合孔１１が形成される。
【００６５】
結合孔１１にはフィクスチャー３の植立のための穿孔の方向、直径を案内するスリーブ２０が嵌合され、スリーブ２０のガイド突起部２１は結合孔１１内に形成されている整列溝部１１ａに挿入されて既に設定された配置角度で整列されて固定される。
【００６６】
このようにガイドステント１００には、３次元イメージ獲得データが獲得されると、クラウンの配置角度に対応して結合孔１１内に整列溝部１１ａが形成され、整列溝部１１ａにガイド突起部２１ａが嵌合される。
【００６７】
これにより、施術者が、フィクスチャー３のヘキサ孔３ａの内周面の一部をガイド突起部２１の位置に対応して整列させるだけで、フィクスチャー３のヘキサ孔３ａにアバットメント４を既に設定された配置角度で整列して挿入することができる。これにより、ガイド突起部２１の既に設定された配置角度を基準としてアバットメント上に形成されるクラウンの配置角度が設定される。
【００６８】
すなわち、３次元イメージ獲得データにより得られるクラウンの配置角度をガイド突起部２１の配置角度から施術初期に設定することができる。従って、施術初期にフィクスチャー３のヘキサ孔３ａの内周面の一部をガイド突起部２１の位置に対応して整列させるだけで、その後の過程においてアバットメント及びクラウンの配置角度がフィクスチャーとの関係から正確に整列される。
【００６９】
このように、ガイドステント１００の製作時点で設定されたガイド突起部２１の配置角度は、その後に製造されるクラウンの配置角度の整列基準となるため、施術の正確度及び便宜性が向上し、施術過程を標準化及び単純化することができる。
【００７０】
また、ガイド突起部２１の円周方向の幅はガイド面４ｂの幅に対応することが好ましく、ガイド面４ｂの幅はガイド突起部２１の円周方向の幅と同じく形成することができる。
【００７１】
図５ｃに示したように、施術者がガイド突起部２１の円周方向の幅にガイド面４ｂの幅を対応させて整列させるだけで、アバットメント４のヘキサ突起４ａ及びヘキサ突起４ａが嵌合されるフィクスチャー３のヘキサ孔３ａを自動に整列することができる。
【００７２】
これにより、施術者は既に製造されたクラウンの配置角度に対応して容易にフィクスチャー３及びアバットメント４を整列することができ、施術時間を短縮することができる。
【００７３】
もちろん、施術者はフィクスチャー３を植立するとき、多角形状のヘキサ孔３ａの一面がガイド突起部２１の配置角度に一致するように整列して配置することができる。
【００７４】
ヘキサ孔３ａの方向が直接確認できない場合は、アバットメント４をフィクスチャー３に挿入し、ヘキサ突起４ａがヘキサ孔３ａに嵌合された時にガイド面４ｂがガイド突起部２１に整列されるようにフィクスチャー３の方向を調節することができる。
【００７５】
この時、ガイド面４ｂはアバットメント４の外面に形成され、ヘキサ突起４ａの一面に平行に設けられるので、ガイド面４ｂをガイド突起部２１に整列させて配置することにより、ヘキサ突起４ａを整列することができる。
【００７６】
すなわち、施術者がガイド突起部２１を基準としてアバットメントのガイド面４ｂ、ヘキサ突起４ａ、或いはフィクスチャーのヘキサ孔３ａの内周面の一部のうちのいずれかを整列すれば、後は簡単に整列される。またアバットメント４が整列されたことにより、３次元イメージ獲得データに基づいて製造されるクラウンが正確な配置角度で結合される。
【００７７】
すなわち、施術者がガイド突起部２１の円周方向の幅にガイド面４ｂの幅が対応するように簡単に整列すれば、施術時間を短縮できるだけではなく、フィクスチャー３／アバットメント４が自動に正確に整列され、製造されたクラウンが正確な配置角度で結合するので、施術の便宜性及び精密度が向上する。
【００７８】
フィクスチャー３には内部のヘキサ孔３ａの方向を外部から容易に確認できるように、上縁部にヘキサ孔３ａに対応する標識を付けることができる。これにより、施術者はフィクスチャー３の方向及びフィクスチャー３に結合されるアバットメント４の方向を容易に確認することができる。
【００７９】
またガイド突起部２１の外面２１ａは、３次元イメージ獲得データに基づいて製造されるクラウンの配置角度に対応してアバットメント４に形成されたガイド面４ｂ及びガイド面に対応するヘキサ孔３ａの一面に平行に整列されることが好ましい。この時、ガイド突起部２１の外面２１ａは平面であることが好ましい。
【００８０】
すなわち、施術者はガイド突起部２１の外面２１ａに平行にフィクスチャー３のヘキサ孔３ａの一面或いはヘキサ孔３ａに嵌合するアバットメント４のヘキサ突起４ａの一面、またはヘキサ突起４ａの一面に平行するガイド面４ｂを整列することにより、クラウンの配置角度に対応してアバットメント４を整列して結合することができる。
【００８１】
これにより、穿孔に植立されたフィクスチャー３にアバットメント４を結合した後にアバットメント４に配置角度に応じてクラウンを製造することではなく、ガイドステント１００の製作段階でクラウンの配置角度を設定することができるので、インプラント施術を用意し、各種補綴物を製作する時間を大幅短縮することができる。
【００８２】
従って、アバットメント／クラウンが既に製造されている場合、一回の施術で歯茎の除去、フィクスチャー植立のための穿孔ドリリング、フィクスチャーの植立及びアバットメント／クラウンの設置を完了できる基盤技術装置を提供することができる。
【００８３】
また、ガイド突起部２１は中空型ブッシュ部２３の外周の単一箇所に突出されることが好ましい。これにより、ガイド突起部２１は既に設定されたクラウンの配置角度に応じてフィクスチャーの配置角度、アバットメントの配置角度を正確に案内することができる。
【００８４】
以上、本発明を、限定された実施形態と図面により説明されたが、本発明は、上記の実施形態に限定されるものではなく、当業者によって多様な修正及び変形が可能である。従って、本発明の範囲は、説明された実施形態や、特許請求の範囲に限らず、特許請求の範囲と均等なものによって定められる。
【産業上の利用可能性】
【００８５】
本発明は、ガイド突起部を有するデンタルインプラント用ガイドステントを提供することにより、歯牙インプラント植立のための産業に有用である。
【図１】
2016507293.tif 000003
【図２】
2016507293.tif 000004
【図３】
2016507293.tif 000005
【図４】
2016507293.tif 000006
【図５ａ】
2016507293.tif 000007
【図５ｂ】
2016507293.tif 000008
【図５ｃ】
2016507293.tif 000009
【国際調査報告】
2016507293.tif 000010
2016507293.tif 000011
2016507293.tif 000012
2016507293.tif 000013